(57)【要約】【課題】  光源駆動値の補正のための補正テーブルの設定変更ミスをなくし、変更是正の無駄な時間をなくすことの可能な画像記録装置及び画像記録方法を提供する。【解決手段】  この画像記録方法は、画像データに基づいて光源により記録媒体に露光を行うことで画像を形成するものであって、光源の最大光量を測定し記憶した状態で、画像データに基づく光源駆動値を補正するために設定される補正テーブルの設定可能な範囲を記憶された最大光量に基づいて算出し、補正テーブルが変更されたとき、その変更対象の補正テーブルが設定可能か否かを算出された設定可能な範囲に基づいて判断し、設定可能な範囲外であるとき警告を発する。【選択図】  図６
2006258913.tif 000002
【特許請求の範囲】
【請求項１】
画像データに基づいて光源により記録媒体に露光を行うことで画像を形成する露光手段と、
前記光源の最大光量を測定する測定手段と、
前記測定した最大光量を記憶する記憶手段と、
前記各手段を制御する制御手段と、を備え、
前記露光手段は前記画像データに基づく光源駆動値を補正するために設定される補正テーブルを有し、
前記制御手段は、前記記憶された最大光量に基づいて前記補正テーブルの設定可能な範囲を算出し、前記補正テーブルが変更されたとき、その変更対象の補正テーブルが設定可能か否かを判断し、その判断結果に基づいて装置制御を行うことを特徴とする画像記録装置。
【請求項２】
前記補正テーブルは色調整のためのカラーコレクションテーブルであることを特徴とする請求項１に記載の画像記録装置。
【請求項３】
画像データに基づいて光源により記録媒体に露光を行うことで画像を形成する画像記録方法であって、
前記光源の最大光量を測定し記憶した状態で、前記画像データに基づく光源駆動値を補正するために設定される補正テーブルの設定可能な範囲を前記記憶された最大光量に基づいて算出するステップと、
前記補正テーブルが変更されたとき、その変更対象の補正テーブルが設定可能か否かを前記算出された設定可能な範囲に基づいて判断するステップと、
前記設定可能な範囲外であるとき警告を発するステップと、を含むことを特徴とする画像記録方法。
【請求項４】
前記光源の最大光量を前記画像データが所定回数変わる度に測定し記憶することを特徴とする請求項３に記載の画像記録方法。
【請求項５】
前記補正テーブルは色調整のためのカラーコレクションテーブルであることを特徴とする請求項３または４に記載の画像記録方法。
【発明の詳細な説明】
【技術分野】
【０００１】
本発明は、画像データに基づいて光源により記録媒体に露光を行う画像記録装置及び画像記録方法に関するものである。
【背景技術】
【０００２】
網点画像データに基づいて波長の異なる複数の光源で銀塩カラー感光材料に露光し画像記録を行う画像記録装置が公知である（例えば、下記特許文献１，２参照）。かかる画像記録装置では、例えば、ＲＧＢの３波長の発光ダイオード等の複数の光源で銀塩カラー感光材料に光ビームを照射し露光させて画像を記録する際に、ＲＩＰ（ラスタイメージプロセッサ）で得た網点画像データはＬＵＴ（ルックアップテーブル）を参照してドット毎のＣＭＹＫデータからＲＧＢの各色の光源を駆動するデータに変換される。ＬＵＴは、ＣＭＹＫの各色と、ＣＭＹＫの各色を銀塩カラー感光材料で発色させるためのＲＧＢの光量比率とが各光源の駆動値で対応付けられている。得られた光源の駆動値によりＲＧＢからなる光ビームを合成し、銀塩カラー感光材料にドット毎に光ビームを照射することで、銀塩カラー感光材料に光ビームの強度に応じて感光して網点画像が形成され、その後、現像されカラー画像が記録される。
【０００３】
上述のような画像記録装置では、各光源の駆動値は、更に、例えばユーザの印刷条件等に応じてカラーコレクションテーブル等の補正テーブルで補正するようになっている。かかるカラーコレクションテーブルは、いつでも自由な値に変更が可能である。しかし、通常、１つか２つのデータを変更するのではなく、かなり多くのデータを変更するため、かなりの時間がかかる。そして、カラーコレクションテーブルを変更し、露光動作をスタートさせるが、その変更したカラーコレクションテーブルで露光を行うことができない場合、そのスタート後に始めてエラーなどの警告が出される。このため、その後に、再変更する等の処置を行うことから非常に無駄な時間が掛かっていた。
【特許文献１】特開２００３−２１１７３１号公報
【特許文献２】特開２００３−１４０３２６号公報
【発明の開示】
【発明が解決しようとする課題】
【０００４】
本発明は、上述のような従来技術の問題に鑑み、光源駆動値の補正のための補正テーブルの設定変更ミスをなくし、変更是正の無駄な時間をなくすことの可能な画像記録装置及び画像記録方法を提供することを目的とする。
【課題を解決するための手段】
【０００５】
上記目的を達成するために、本発明による画像記録装置は、画像データに基づいて光源により記録媒体に露光を行うことで画像を形成する露光手段と、前記光源の最大光量を測定する測定手段と、前記測定した最大光量を記憶する記憶手段と、警告を発する警告手段と、前記各手段を制御する制御手段と、を備え、前記露光手段は前記画像データに基づく光源駆動値を補正するために設定される補正テーブルを有し、前記制御手段は、前記記憶された最大光量に基づいて前記補正テーブルの設定可能な範囲を算出し、前記補正テーブルが変更されたとき、その変更対象の補正テーブルが設定可能か否かを判断し、その判断結果に基づいて装置制御を行うことを特徴とする。
【０００６】
この画像記録装置によれば、露光前に測定し記憶した最大光量に基づいて補正テーブルの設定可能な範囲を算出し、補正テーブルが変更されたとき、その変更対象の補正テーブルが設定可能か否かを判断し、露光動作を行う前に例えば警告手段により必要な警告を発したり露光動作を中止するように制御できるので、補正テーブルの設定変更ミスをなくすことができ、変更是正の無駄な時間がなくなる。
【０００７】
上記画像記録装置において前記補正テーブルは色調整のためのカラーコレクションテーブルであることが好ましい。
【０００８】
本発明による画像記録方法は、画像データに基づいて光源により記録媒体に露光を行うことで画像を形成する画像記録方法であって、前記光源の最大光量を測定し記憶した状態で、前記画像データに基づく光源駆動値を補正するために設定される補正テーブルの設定可能な範囲を前記記憶された最大光量に基づいて算出するステップと、前記補正テーブルが変更されたとき、その変更対象の補正テーブルが設定可能か否かを前記算出された設定可能な範囲に基づいて判断するステップと、前記設定可能な範囲外であるとき警告を発するステップと、を含むことを特徴とする。
【０００９】
この画像記録方法によれば、予め測定し記憶した最大光量に基づいて補正テーブルの設定可能な範囲を算出し、補正テーブルが変更されたとき、その変更対象の補正テーブルが設定可能か否かを判断し、露光動作を行う前に必要な警告を発するように制御できるので、補正テーブルの設定変更ミスをなくすことができ、変更是正の無駄な時間がなくなる。
【００１０】
上記画像記録方法において前記光源の最大光量は、前記画像データが所定回数変わる度に測定しメモリに記憶し更新することが好ましく、例えば、画像データが変わる度や画像データが複数回変わる度に測定する。また、前記補正テーブルは色調整のためのカラーコレクションテーブルであることが好ましい。
【発明の効果】
【００１１】
本発明の画像記録装置及び画像記録方法によれば、光源駆動値の補正のための補正テーブルの設定変更ミスをなくすことができ、変更是正の無駄な時間がなくなる。
【発明を実施するための最良の形態】
【００１２】
以下、本発明を実施するための最良の形態について図面を用いて説明する。図１は本実施の形態によるカラープルーフ作成装置（画像記録装置）を含む印刷システムの構成例を概略的に示す図である。
【００１３】
図１に示すように、印刷システムは、印刷工場のクライアント端末１ＡからＰＳ(PostScript)データ等の画像データが画像処理装置であるＲＩＰ(Raster Image Processor)２に入力し、ＲＩＰ２はＰＳデータをラスター・イメージに変換処理し、ＲＩＰ２でラスター・イメージ変換処理されたデジタルデータがＲＩＰ２から転送され直接印刷用の原版を作成するための装置であるＣＴＰ（コンピュータツウプレート）装置３に送られる一方、カラープルーフ作成のためのフロント装置である網点画像データ生成装置１００に送られ、網点画像データ生成装置１００で２値の網点画像データを生成し、この網点画像データに基づいてカラープルーフ作成装置１でカラープルーフを作成するように構成されている。
【００１４】
図１の網点画像データ生成装置１００及びカラープルーフ作成装置１によりプルーフ作成システム１０１が構成され、このプルーフ作成システム１０１により印刷工場における印刷の際に印刷出力対象の絵柄、色調、文章、文字等の確認を行うためのカラープルーフ（校正用サンプル）を作成し出力する。このカラープルーフで色調やモアレ・ムラ等を確認し、図１のＣＴＰ３で原版を作成してから印刷機で印刷工程を実行する。なお、図１の破線で示すように、クライアント端末１ＡからＰＳ(PostScript)データ等の画像データを網点画像データ生成装置１００に送り、２値の網点画像データを生成するようにしてもよい。
【００１５】
次に、図１のカラープルーフ作成装置１について図２，図３を参照して説明する。図２は図１のカラープルーフ作成装置の内部を正面側から見た図である。図３は図２のカラープルーフ作成装置のドラム及び光学ユニットを上部から見た要部平面図である。
【００１６】
図２に示すように、画像記録装置であるカラープルーフ作成装置１は、カラープルーフを作成するために銀塩カラー感光材料（以下、単に「感光材料」または「感光紙」ともいう。）に露光し画像を形成する露光ユニット１１と、露光された感光材料を現像する現像ユニット２１と、を備える。
【００１７】
図２に示すように、カラープルーフ作成装置１の露光ユニット１１は、内部にロール状に巻かれたシート状感光材料である感光紙を収納した専用のカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、ドラム１０上の感光紙に対しＬＥＤ光等の光ビームを露光する光学ユニット１６と、光学ユニット１６を副走査のために副走査方向（図１の紙面垂直方向）Ｈ（図３）に搬送する副走査部１７と、画像記録後のドラム１０上の感光紙を剥離する剥離部材１５と、を備える。露光後の感光紙は出口１９及び接続部１９ａを通して現像ユニット２１へと搬送される。
【００１８】
図２のカラープルーフ作成装置１は、更に、搬送ローラ対４２の下流側に配置されドラム１０に向けて送られる感光紙の搬送に従い従動回転する従動ローラ３１と、感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００１９】
また、搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００２０】
図２の搬送ローラ対４０，４１の下流側近傍には感光紙を切断するカット部１０ａがそれぞれ配置されており、各カット部１０ａはモータ（図示省略）により回転駆動されるロータリカッタを有し、上述の感光紙の長さ測定に基づいて感光紙を所定長さに切断する。
【００２１】
図２の現像ユニット２１は、露光ユニット１１から送られた露光後の感光紙について湿式現像を行うもので、感光紙の現像処理を行う現像部２３と、定着処理を行う定着部２４と、安定処理を行う安定部２５と、乾燥処理を行う乾燥部２６と、乾燥された感光紙を搬送ローラ対２７ａ等で外部に排出する排出部２７と、排出されて出力した感光紙を集積する集積部２８と、を備える。
【００２２】
図３のように、カラープルーフ作成装置１のドラム１０は、回転軸部１４’の回転軸１４ａ及び回転軸部１８ａの回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００２３】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて感光紙がドラム１０の表面に吸着される。
【００２４】
光学ユニット１６は、副走査部１７によりドラム軸と平行に移動可能に構成され、ドラム１０に吸着された感光紙に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ複数チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１からドラム１０上の感光紙に画像を露光する。露光シャッタ３３２は露光ソレノイド３３３により開閉することで、露光開始／終了時に光路の開閉を行なう。
【００２５】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＲによりＭ（マゼンダ）、ＧによりＣ（シアン）がそれぞれ発色するようになる。
【００２６】
光学ユニット１６は、移動ベルト３４０に固定され、一対のガイドレール３４１、３４２に案内されてドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に副走査方向Ｈ、その反対の方向Ｈ’に移動する。
【００２７】
また、図３のように、ドラム１０の外周面のドラム軸と平行の延長上位置にはフォトダイオード等の受光素子からなる測光センサ７０が配置されており、図３のホームポジションの位置の光学ユニット１６が方向Ｈ’に若干移動し各ＬＥＤユニット３２０〜３２２からの光ビームが測光センサ７０に入射することで、各ＬＥＤの光ビームの光量を測定できるようになっている。
【００２８】
図３に示すように、吸引ブロアＰ１は空気吸引ポンプにより吸引連結管５１’を通してドラム１０内を吸引し、露光ユニット１１による露光開始前にドラム１０内を負圧にし感光紙を外周面に吸着する。
【００２９】
次に、図２，図３のカラープルーフ作成装置１における画像データの流れ及び制御系について図４を参照して説明する。図４は、図２，図３のカラープルーフ作成装置１の露光ユニット１１における画像データの流れ及びカラープルーフ作成装置１の制御系のブロック図である。
【００３０】
図４のように、露光ユニット１１は、図１，図５の網点画像データ生成装置１００からのＹＭＣＫの２値網点画像データが入力する画像データＩ／Ｆ部５２と、画像データＩ／Ｆ部５２からの網点画像データをいったん記憶し随時出力するハードディスク記憶装置等からなるデータバッファ５３と、データバッファ５３からのＹＭＣＫの２値網点画像データに対する光源駆動値を対応づけて感光紙に対する露光のための露光データとするルックアップテーブル（ＬＵＴ）５４と、ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００３１】
図４の制御部５０は、中央演算処理装置（ＣＰＵ）等から構成され、測光センサ７０の信号が入力し、画像データＩ／Ｆ部５２、データバッファ５３、ルックアップテーブル５４、露光ユニット１１の筐体外部に設けられた表示入力部２及び他の装置部分を制御する。表示入力部２は、タッチパネルから構成され、各種情報を表示するとともに、情報入力が可能となっている。
【００３２】
また、制御部５０は、カラーコレクションテーブル６１，濃度−露光量テーブル６０及び露光量−光源駆動値テーブル６２をメモリに保存する。カラーコレクションテーブル６１は、刷版インキの色等の印刷条件等に合わせて色を調整するためにユーザ毎に各色版の組み合わせに対するカラーコレクション値（発色濃度）を設定する補正テーブルであり、刷版インキ等の印刷条件等が変わる度に変更する。この変更はユーザが表示入力部２から入力することで行うことができる。
【００３３】
また、濃度−露光量テーブル６０は、カラーコレクションテーブル６１で設定されたカラーコレクション値（発色濃度）に対する露光量のテーブルであり、記録材料の特性を記憶するもので、例えば感光紙のロットや種類が変わる度に変更する。また、露光量−光源駆動値テーブル６２は、濃度−露光量テーブル６０で設定された露光量に対する光源駆動値のテーブルである。
【００３４】
制御部５０は、カラーコレクションテーブル６１で色調整のために設定されたカラーコレクション値（発色濃度）を濃度−露光量テーブル６０で露光量に変換し、この露光量を露光量−光源駆動値テーブル６２で光源駆動値に変換し、この光源駆動値をルックアップテーブル（ＬＵＴ）５４に露光の度に設定する。これにより、ユーザが設定したカラーコレクションテーブル６１による各色版の組み合わせに対するカラーコレクション値（発色濃度）の設定が光源駆動値に反映される。
【００３５】
ルックアップテーブル５４からの露光データによりドライバ５６ａ〜５６ｃで駆動された各ＬＥＤユニット３２０〜３２２からドラム１０の外周面に保持された感光紙に対し露光することで網点画像データ生成装置１００からのＹＭＣＫの２値網点画像データに基づいて画像形成が行われる。
【００３６】
次に、カラーコレクションテーブル６１が変更された場合の図４の制御部による制御について図５を参照して説明する。図５は図４の濃度−露光量テーブル６０の例を示すグラフである。
【００３７】
図５のように、濃度−露光量テーブル６０において露光量が光源の駆動値を決定するので、光源の最大光量から露光量の最大値が分かる。例えば、光源の最大光量から最大の露光量が３０００と判断されたとき、その最大光量に対応するカラーコレクション値（濃度）が１５０である。従って、図５の濃度−露光量テーブル６０からカラーコレクションテーブル６１におけるカラーコレクション値（濃度）の設定可能な最大値は１５０であると判断できる。なお、図５において、カラーコレクション値０〜２００は、濃度０〜２．００に対応する値であり、また、露光量０〜４０００は、測光センサ７０での測定値信号を０〜４０００のレンジでＡＤ変換した値で表したものである。
【００３８】
ユーザにより刷版インキ等の印刷条件等が変更されたため、カラーコレクションテーブル６１のカラーコレクションデータが変更されたとき、制御部５０は、例えば、その変更に係わるカラーコレクションテーブル６１で設定されるカラーコレクション値を取得し、そのカラーコレクション値の最大値が例えば図５のように２００であると、設定可能範囲（１５０）を越えているので、設定不可と判断する。制御部５０が設定不可と判断した場合、そのカラーコレクションデータの変更はできない旨の警告を表示部２に表示させる。この場合、ユーザは、必要に応じて、カラーコレクションテーブルの再設定を行うか、または、変更しようとしたカラーコレクションデータの変更設定を中止する。
【００３９】
次に、図１〜図５のカラープルーフ作成装置１における動作について図６のフローチャートを参照して説明する。
【００４０】
まず、今回の露光以前に、光学ユニット１６が図３のホームポジションの位置から方向Ｈ’に移動し各ＬＥＤユニット３２０〜３２２からの光ビームを測光センサ７０に入射させて各ＬＥＤの光ビームの最大光量Ｐを測定し制御部５０のメモリに記憶させておく（Ｓ０１）。
【００４１】
次に、上記最大光量Ｐから図５の濃度−露光量テーブル６０を介してカラーコレクションテーブル６１における最大のカラーコレクション値を算出し、カラーコレクションデータの設定可能範囲を得る（Ｓ０２）。
【００４２】
そして、カラーコレクションテーブル６１が変更されカラーコレクションデータが変わった場合（Ｓ０３）、そのカラーコレクション値が設定可能範囲内であるか否かを判断し（Ｓ０４）、設定可能範囲を越えている場合、表示部２に警告を表示させ（Ｓ０５）、カラーコレクションテーブル６１の変更を中止し、変更前のものに戻す（Ｓ０６）。なお、この場合、ステップＳ０６においてカラーコレクションデータの再設定を行い、ステップＳ０４に戻るようにしてもよい。
【００４３】
次に、変更されたカラーコレクションテーブルのカラーコレクション値が設定可能範囲内である場合（Ｓ０４）、画像データ生成装置１００で生成された２値の網点画像データがカラープルーフ作成装置１の露光ユニット１１に入力し（Ｓ０７）、その網点画像データによる露光動作前に、各ＬＥＤの光ビームの最大光量Ｐを測定し制御部５０のメモリに記憶させる（Ｓ０８）。
【００４４】
そして、入力した２値の網点画像データに基づいて上述のようにして各ＬＥＤユニット３２０〜３２２により感光紙に露光する（Ｓ０９）。次に、露光済み感光紙を現像ユニット２１で現像してから（Ｓ１０）、プルーフとして排出部２７から集積部２８に出力させる（Ｓ１１）。
【００４５】
そして、次の露光動作を行う場合には（Ｓ１２）、上述のステップＳ０２に戻り、上記ステップＳ０８で測定し記憶した最大光量に基づいて同様にしてカラーコレクションデータの設定可能範囲を得てから、ステップＳ０３以下の同様の動作を実行する。
【００４６】
以上のように、本実施の形態では、予め測定し記憶した最大光量データからカラーコレクションデータの設定可能範囲を求め、カラーコレクションテーブルの変更により、その設定可能範囲を越えるカラーコレクションデータが設定された場合、警告を出し、露光動作を中止させるので、カラーコレクションテーブルの変更ミスをなくすことができ、変更ミスの是正のための無駄な時間を防ぐことができ、効率的な装置管理を実現できる。
【００４７】
以上のように本発明を実施するための最良の形態について説明したが、本発明はこれらに限定されるものではなく、本発明の技術的思想の範囲内で各種の変形が可能である。例えば、測光センサ７０による光源の最大光量の測定は、図６では、ステップＳ０８のように入力した画像データの露光前に行ったが、露光後に行うようにしてもよい。
【００４８】
また、光源の最大光量は、画像データが変わる度に測定し更新するようにしてもよいが、画像データが複数回変わったときに測定し更新するように制御してもよく、このように制御する場合で最大光量の測定を行わないときは、図６のステップＳ０８を省略する。また、ユーザが図４の表示入力部２から指示したときに光源の最大光量の測定を行うようにしてもよい。
【図面の簡単な説明】
【００４９】
【図１】本実施の形態によるカラープルーフ作成装置（画像記録装置）を含む印刷システムの構成例を概略的に示す図である。
【図２】図１のカラープルーフ作成装置の内部を正面側から見た図である。
【図３】図２のカラープルーフ作成装置のドラム及び光学ユニットを上部から見た要部平面図である。
【図４】図２，図３のカラープルーフ作成装置１の露光ユニット１１における画像データの流れ及びカラープルーフ作成装置１の制御系のブロック図である。
【図５】図４のカラーコレクションテーブル６１の例を示すグラフである。
【図６】図１〜図５のカラープルーフ作成装置１における動作を説明するためのフローチャートである。
【符号の説明】
【００５０】
１ カラープルーフ作成装置、画像記録装置
１１ 露光ユニット
１６ 光学ユニット
２１ 現像ユニット
５０ 制御部
５４ ルックアップテーブル
６０ 濃度−露光量テーブル
６１ カラーコレクションテーブル
７０ 測光センサ
３２０，３２１，３２２ ＬＥＤユニット（光源）
Ｐ 最大光量
Ｓ 感光紙、銀塩カラー感光材料（記録媒体）
【図１】
2006258913.tif 000003
【図２】
2006258913.tif 000004
【図３】
2006258913.tif 000005
【図４】
2006258913.tif 000006
【図５】
2006258913.tif 000007
【図６】
2006258913.tif 000008